【手続補正書】
【提出日】平成15年7月10日(2003.7.10)
【手続補正１】
【補正対象書類名】明細書
【補正対象項目名】特許請求の範囲
【補正方法】変更
【補正の内容】
【特許請求の範囲】
【請求項１】
複数の顧客企業システムから任意の複数の予約システムに接続して商品の予約を行う、電子商取引システムにおいて用いられる電子商取引管理サーバであって、
少なくとも、前記顧客企業システムを認証する認証データに係る情報および前記顧客企業システムが接続可能な前記予約システムに係る情報を記録するアカウント記憶部と、
前記顧客企業システムからの接続を受付ける機能、該顧客企業システムからの接続毎に設定されるセションを管理する機能、前記アカウント記憶部を参照する機能、前記認証データを用いて該顧客企業システムを認証する機能、該顧客企業システムが接続可能な予約システムに接続する機能、前記予約システムから予約可能な商品の情報を取得する機能、前記顧客企業システムに送信する機能を有するスイッチング手段
とを備えることを特徴とする電子商取引管理サーバ。
【請求項２】
前記スイッチング手段は、前記顧客企業システムに、複数の前記予約システムを同時に接続させ、それぞれの接続毎に前記セションを管理することを特徴とする請求項１に記載の電子商取引管理サーバ。
【請求項３】
前記アカウント記憶部は、前記顧客企業システムが前記予約システムに接続する認証データのマッピング情報を更に記録し、
前記顧客企業システムの認証データおよび前記マッピング情報を参照して、前記予約システムに接続するアカウントを選択させるアカウント変換部
を更に備えることを特徴とする請求項１又は２に記載の電子商取引管理サーバ。
【請求項４】
前記顧客企業システムの認証データ、或いは前記予約システムに接続する認証データは、前記顧客企業システムに所属するユーザ毎に設定されることを特徴とする請求項１乃至３のいずれか１項に記載の電子商取引管理サーバ。
【請求項５】
前記アカウント記憶部は、前記顧客企業システムに所属するユーザの属性に従って、前記ユーザが接続可能な予約システムに係る情報を更に記録し、
前記スイッチング手段は、前記アカウント記憶部に記録された前記ユーザが接続可能な予約システムのみに対して接続を許可することを特徴とする請求項１乃至４のいずれか１項に記載の電子商取引管理サーバ。
【請求項６】
前記アカウント記憶部は、前記顧客企業システムに所属するユーザ或いは前記ユーザの属性に従って、前記ユーザが予約可能な種別の前記商品を更に記録し、
前記スイッチング手段は、前記アカウント記憶部に記録された前記ユーザが予約可能な種別の前記商品を参照する機能、前記予約システムから前記予約可能な商品の情報を取得する機能、前記顧客企業システムに送信する機能を有することを特徴とする請求項１乃至５のいずれか１項に記載の電子商取引管理サーバ。
【請求項７】
前記顧客企業システムが前記予約システムに対して予約を行った場合に、少なくとも前記商品を特定する情報を含む前記予約に関する情報を記憶する予約記憶部
を更に備えることを特徴とする請求項１乃至６のいずれか１項に記載の電子商取引管理サーバ。
【請求項８】
前記アカウント記憶部に記録された、前記顧客企業システムの認証データに係る情報、前記顧客企業システムが前記予約システムに接続する認証データのマッピング情報、前記顧客企業システムのユーザの属性に従って決定される前記接続可能な予約システムに係る情報、前記予約記憶部に記録された前記商品の前記予約に係る情報、前記顧客企業システムの接続に係る情報のうち、少なくとも一つを管理する基幹管理手段
を更に備えることを特徴とする請求項１乃至７のいずれか１項に記載の電子商取引管理サーバ。
【請求項９】
前記顧客企業システムの接続に係る情報に基づいて、前記顧客企業システムに対して代金の請求に係る命令を行う使用料管理部
を更に備えることを特徴とする請求項８に記載の電子商取引管理サーバ。
【請求項１０】
前記商品の前記予約に関する情報に基づいて、前記顧客企業システムに対して代金の請求に係る命令を行う予約情報管理部
を更に備えることを特徴とする請求項８又は９のいずれか１項に記載の電子商取引管理サーバ。
【請求項１１】
前記予約記憶部に記録された前記商品の前記予約に係る情報は、前記顧客企業システム内に属する部課も含み、
前記部課に対して、前記商品の請求に係る命令を行うことを特徴とする請求項７乃至１０のいずれか１項に記載の電子商取引管理サーバ。
【請求項１２】
複数の顧客企業システムから任意の複数の予約システムに接続して商品の予約を行う、電子商取引システムにおいて用いられる電子商取引管理方法であって、
少なくとも、前記顧客企業システムを認証する認証データに係る情報および前記顧客企業システムが接続可能な前記予約システムに係る情報をアカウント記憶部に記録するアカウント記憶ステップと、
前記顧客企業システムからの接続を受付ける工程、該顧客企業システムからの接続毎に設定されるセションを管理する工程、前記アカウント記憶部を参照する工程、前記認証データを用いて該顧客企業システムを認証する工程、該顧客企業システムが接続可能な予約システムに接続する工程、前記予約システムから予約可能な商品の情報を取得する工程、前記顧客企業システムに送信する工程を有するスイッチングステップ
とを備えることを特徴とする電子商取引管理方法。
【請求項１３】
前記スイッチングステップは、前記顧客企業システムに、複数の前記予約システムを同時に接続させ、それぞれの接続毎に前記セションを管理することを特徴とする請求項１２に記載の電子商取引管理方法。
【請求項１４】
前記アカウント記憶ステップにおいて前記アカウント記憶部は、前記顧客企業システムが前記予約システムに接続する認証データのマッピング情報を更に記録し、
前記顧客企業システムの認証データおよび前記マッピング情報を参照して、前記予約システムに接続するアカウントを選択するアカウント変換ステップ  を更に備えることを特徴とする請求項１２又は１３に記載の電子商取引管理方法。
【請求項１５】
前記顧客企業システムの認証データ、或いは前記予約システムに接続する認証データは、前記顧客企業システムに所属するユーザ毎に設定されることを特徴とする請求項１２乃至１４のいずれか１項に記載の電子商取引管理方法。
【請求項１６】
前記アカウント記憶ステップは、前記アカウント記憶部に前記顧客企業システムに所属するユーザの属性に従って、前記ユーザが接続可能な予約システムに係る情報を更に記録し、
前記スイッチングステップは、前記アカウント記憶部に記録された前記ユーザが接続可能な予約システムのみに対して接続を許可することを特徴とする請求項１２乃至１５のいずれか１項に記載の電子商取引管理方法。
【請求項１７】
前記アカウント記憶ステップは、前記アカウント記憶部に前記顧客企業システムに所属するユーザ或いは前記ユーザの属性に従って、前記ユーザが予約可能な種別の前記商品に係る情報を更に記録し、
前記スイッチングステップは、前記アカウント記憶部に記録された前記ユーザが予約可能な種別の前記商品を参照する工程、前記予約システムから前記予約可能な商品の情報を取得する工程、前記顧客企業システムに送信する工程を有することを特徴とする請求項１２乃至１６のいずれか１項に記載の電子商取引管理方法。
【請求項１８】
前記顧客企業システムが前記予約システムに対して予約を行った場合に、少なくとも前記商品を特定する情報を含む前記予約に係る情報を記憶する予約記憶ステップ
を更に備えることを特徴とする請求項１２乃至１７のいずれか１項に記載の電子商取引管理方法。
【請求項１９】
前記アカウント記憶ステップにおいて前記アカウント記憶部に記録された、前記顧客企業システムの認証データに係る情報、前記顧客企業システムが前記予約システムに接続する認証データのマッピング情報、前記顧客企業システムのユーザの属性に従って決定される前記接続可能な予約システムに係る情報、前記予約記憶部に記録された前記商品の前記予約に係る情報、前記顧客企業システムの接続に係る情報のうち、少なくとも一つを管理する基幹管理ステップ
を更に備えることを特徴とする請求項１２乃至１８のいずれか１項に記載の電子商取引管理方法。
【請求項２０】
前記顧客企業システムの接続に係る情報に基づいて、前記顧客企業システムに対して代金の請求に係る命令を行う使用料管理ステップ
を更に備えることを特徴とする請求項１９に記載の電子商取引管理方法。
【請求項２１】
前記商品の前記予約に関する情報に基づいて、前記顧客企業システムに対して代金の請求に係る命令を行う予約情報管理ステップ
を更に備えることを特徴とする請求項１９又は２０のいずれか１項に記載の電子商取引管理方法。
【請求項２２】
前記予約記憶ステップで記録された前記商品の前記予約に係る情報は、前記顧客企業システム内に属する部課も含み、
前記部課に対して、前記商品の請求に係る命令を行うこと商品請求ステップ
を更に備えること特徴とする請求項１８乃至２１のいずれか１項に記載の電子商取引管理方法。